(57)【要約】  【課題】  通常の撮像装置と比較してより多くのＲＡＷデータを内部記憶領域に保存することが可能な固体撮像装置を提供する。  【解決手段】  デジタルカメラ１のＣＣＤ７１によって取得された電気信号は、電子情報であるＲＡＷデータに変換される（Ｓ２０）。ＣＰＵ１１ａは、予めユーザーからＲＡＷデータの圧縮指示がなされているかどうかを確認し（Ｓ４０）、指示されている場合は可逆圧縮方式を用いてＲＡＷデータの圧縮を行う。圧縮処理によって作成された圧縮ＲＡＷデータは、フラッシュメモリ等の記憶部に記憶される（Ｓ５０）。圧縮に使用されたＲＡＷデータは、メインメモリ１１ｂより消去される。【選択図】      図１
2007059979.tif 000002
【特許請求の範囲】
【請求項１】
撮像素子を用いて固体の光学情報を電気信号として取得する撮像部と、
前記電気信号をもとに電子データである現像前撮像データを作成する制御部と、
前記現像前撮像データを記憶する記憶部と、
前記現像前撮像データに対して現像処理を行うことにより現像後撮像データを作成し、さ
らに前記現像後撮像データに対して不可逆圧縮を行うことにより圧縮画像データを作成す
る加工処理部と、
外部装置と接続してデータ通信を行うための入出力インタフェース部と、
を備えた固体撮像装置において、
前記制御部が、前記現像前撮像データを可逆圧縮方法を用いて圧縮することにより圧縮
現像前撮像データを作成し、作成した前記圧縮現像前撮像データを前記記憶部に記憶する
ことと、
前記圧縮処理において使用された圧縮元の前記現像前撮像データを消去することと、
前記圧縮現像前撮像データを前記入出力インタフェース部を用いて外部装置に対して転
送する際に、前記制御部が前記圧縮現像前撮像データの解凍処理を行い、前記解凍処理に
よって得られた前記現像前撮像データを前記外部装置に対して転送することと、
を特徴とする固体撮像装置。
【請求項２】
撮像素子を用いて固体の光学情報を電気信号として取得する撮像部と、
前記電気信号をもとに現像前撮像データを作成する制御部と、
前記現像前撮像データを記憶する記憶部と、
前記現像前撮像データに対して現像処理を行うことにより画像データを作成する加工処理
部と、
外部装置と接続してデータ通信を行うための入出力インタフェース部と、
を備えた固体撮像装置において、
前記制御部が、前記現像前撮像データを可逆圧縮方法を用いて圧縮することにより圧縮
現像前撮像データを作成し、作成した前記圧縮現像前撮像データを前記記憶部に記憶する
こと
を特徴とする固体撮像装置。
【請求項３】
前記圧縮処理において使用された圧縮元の前記現像前撮像データを消去すること
を特徴とする請求項２に記載の固体撮像装置。
【請求項４】
前記圧縮現像前撮像データを前記入出力インタフェース部を用いて外部装置に対して転
送する際に、前記制御部が前記圧縮現像前撮像データの解凍処理を行い、前記解凍処理に
よって得られた前記現像前撮像データを前記外部装置に対して転送すること
を特徴とする請求項２または請求項３に記載の固体撮像装置。
【請求項５】
撮像素子を用いて固体の光学情報を電気信号として取得する撮像工程と、
前記電気信号をもとに電子データである現像前撮像データを作成する変換工程と、
前記現像前撮像データを記憶する記憶工程と、
前記現像前撮像データに対して現像処理を行うことにより現像後撮像データを作成し、さ
らに前記現像後撮像データに対して不可逆圧縮を行うことにより圧縮画像データを作成す
る加工処理工程と、
外部装置と接続してデータ通信を行うためのデータ入出力工程と、
を有する固体撮像方法において、
制御部が、前記現像前撮像データを可逆圧縮方法を用いて圧縮することにより圧縮現像
前撮像データを作成し、作成した前記圧縮現像前撮像データを前記記憶工程を用いて記憶
する圧縮記憶工程と、
前記圧縮記憶工程において使用された圧縮元の前記現像前撮像データを消去する消去工
程と、
前記圧縮現像前撮像データを前記データ入出力工程により外部装置に対して転送する際
に、前記制御部が前記圧縮現像前撮像データの解凍処理を行い、前記解凍処理によって得
られた前記現像前撮像データを前記外部装置に対して転送する解凍転送工程と、
を有することを特徴とする固体撮像方法。
【請求項６】
撮像素子を用いて固体の光学情報を電気信号として取得する撮像工程と、
前記電気信号をもとに現像前撮像データを作成する変換工程と、
前記現像前撮像データを記憶する記憶工程と、
前記現像前撮像データに対して現像処理を行うことにより画像データを作成する加工処理
工程と、
外部装置と接続してデータ通信を行うためのデータ入出力工程と、
を有する固体撮像方法において、
制御部が、前記現像前撮像データを可逆圧縮方法を用いて圧縮することにより圧縮現像
前撮像データを作成し、作成した前記圧縮現像前撮像データを前記記憶工程を用いて記憶
する圧縮記憶工程
を有することを特徴とする固体撮像装置。
【請求項７】
前記圧縮記憶工程において使用された圧縮元の前記現像前撮像データを消去する消去工
程
を有することを特徴とする請求項６に記載の固体撮像方法。
【請求項８】
前記圧縮現像前撮像データを前記データ入出力工程により外部装置に対して転送する際
に、前記制御部が前記圧縮現像前撮像データの解凍処理を行い、前記解凍処理によって得
られた前記現像前撮像データを前記外部装置に対して転送する解凍転送工程
を有することを特徴とする請求項６または請求項７に記載の固体撮像方法。
【発明の詳細な説明】
【技術分野】
【０００１】
本発明は、固体撮像装置、および固体撮像方法に関するものであり、特に撮像処理によ
って得られた撮像情報の記憶方法に関する。
【背景技術】
【０００２】
近年、情報のデジタル化に伴い、デジタル方式を用いた固体撮像装置（デジタルカメラ
）が、アナログカメラを越えるシェアを誇るようになっている。そして、このようなデジ
タルカメラによって取得された撮像情報（撮像データ）は、パソコンにインストールされ
た様々なアプリケーション等によって、各種分野で広く利用することが可能である。
【０００３】
アナログカメラに対してデジタルカメラの優れている点は、取得した撮像データの保存
、管理を容易に行えることにある。例えば、撮像データをパソコンに転送し、パソコン上
で撮像データに対する現像処理等の加工処理を行うことが可能である。
【０００４】
デジタルカメラによって取得された撮像データは、光学素子によって得られた電気信号
をそのまま電子データに置き換えたデータであるＲＡＷデータ（現像前撮像データ）とし
て、デジタルカメラの内部に記憶される。ＲＡＷデータは、例えばＣＣＤ（Charge Coupl
ed Devices）センサ等の光学素子を用いて取得された電気信号を、未加工のまま電子デー
タに変換することにより得られる。従って、画像エンジン等を用いた現像処理等の加工処
理が行われていないため、そのままではユーザーによる閲覧等が不可能である。
【０００５】
ＲＡＷデータは、画像エンジン等により現像処理を行うことにより、画像データ（現像
後撮像データ）に変換される。画像データは、例えばビットマップ方式やＪＰＥＧ方式等
によりデータ化され、保存される。ＲＡＷデータと画像データを比較した場合、ＲＡＷデ
ータは画像データより多くの色情報を保持しているため、画像の品質が高い。また、ＲＡ
ＷデータはＣＣＤセンサにより得られたデータをそのまま記憶したデータであるため、現
像処理（例えばホワイトバランスやシャープネスの決定等）が行われる以前の状態である
。このため、ユーザーは後からこれらのパラメータに変更を加えることにより、何度でも
現像処理を行う（つまり何度でも画像データの作成ができる）という特徴を持つ。
【０００６】
しかし反面、ＲＡＷデータは画像データと比較してデータサイズが大きく、撮像装置内
部の記憶領域を大幅に占有するといった側面を持つ。このため、撮像装置内部において現
像処理が行われて画像データが得られた後、ＲＡＷデータは記憶部より削除されるのが一
般的である。これにより、撮像装置の記憶部の空き容量を増やし、記憶できる画像データ
の数を増やすことが可能となる。
【０００７】
しかし上記の方法を用いた撮像装置においては、現像処理後にＲＡＷデータが削除され
てしまうため、撮像後に手動による現像処理（例えば色調の変更等を加えた現像処理）を
行うことができない。このため、記憶領域は有効に使用してより多くの画像データは保存
できるが、ユーザーにとっての利便性は低下するという問題があった。ユーザーにしてみ
れば、撮像枚数を優先するために現像済みＲＡＷデータを削除するか、或いは後で現像処
理を行うことために、データサイズの大きい現像済みＲＡＷデータを残しておくか、どち
らかを選択するしかなかった。
【０００８】
上記の問題に関連して特許文献１においては、ＲＡＷデータを外部出力する撮像装置で
あって、外部出力するデータには、ＲＡＷデータと、ＲＡＷデータを元に異なる複数の信
号処理を施して作成された複数のプレビュー画像の画像データと、が含まれていることを
特徴とする撮像装置が開示されている。
【０００９】
特許文献１の撮像装置によれば、撮像処理により取得したＲＡＷデータをパソコン等の
情報端末に表示する場合に、ファイルにプレビュー画像の画像データが記録されている。
このため、ＲＡＷデータを受信した外部装置（例えばパソコン等）で現像処理を行う必要
がなく、現像後の画像データを外部装置上で簡易迅速に表示することができる。
【００１０】
通常、外部装置によるソフトウェア現像処理は、撮像装置によるハードウェア現像処理
と比較して２０分の１以下の速度で行うことができる。このため、外部装置側でＲＡＷデ
ータの中身を確認する際に、随時現像処理を行っていたのでは、膨大な時間を費やすこと
になる。これに対して特許文献１の撮像装置においては、あらかじめＲＡＷデータにプレ
ビュー画像が付加されて送信されているため、画像内容確認等の際に、ユーザーの表示待
ち時間を大幅に短縮することが可能である。
【００１１】
しかしながら、上記の特許文献１に開示されている固体撮像装置によれば、ユーザーの
利便性を向上させることはできるものの、撮像装置から外部へ送信されるデータ量は通常
よりも多くなる（ＲＡＷデータサイズに、プレビュー画像のデータサイズが追加される）
という問題があった。
【特許文献１】特開２００４−１２９０６５号公報
【発明の開示】
【発明が解決しようとする課題】
【００１２】
本発明は、上記の問題を解決するためになされたものであって、その目的は撮像素子に
よって得られる現像前撮像データ（ＲＡＷデータ）を、その品質を劣化させることなく、
かつ記憶領域を大幅に占有することなく保存することのできる撮像情報記憶方法を備えた
固体撮像装置を提供することにある。
【００１３】
また本発明は、前記撮像情報記憶方法により保存されたＲＡＷデータを外部装置に対し
て転送する際に、外部装置の処理性能や入出力インタフェースの転送性能等に応じて最も
効率の良い転送を行うことが可能な固体撮像装置を提供することにある。
【課題を解決するための手段】
【００１４】
上記目的を達成するために本発明の固体撮像装置は、
撮像素子を用いて固体の光学情報を電気信号として取得する撮像部と、
前記電気信号をもとに現像前撮像データを作成する制御部と、
前記現像前撮像データを記憶する記憶部と、
前記現像前撮像データに対して現像処理を行うことにより画像データを作成する加工処理
部と、
外部装置と接続してデータ通信を行うための入出力インタフェース部と、
を備えた固体撮像装置において、
前記制御部が、前記現像前撮像データを可逆圧縮方法を用いて圧縮することにより圧縮
現像前撮像データを作成し、作成した前記圧縮現像前撮像データを前記記憶部に記憶する
こと
を特徴としている。
【００１５】
この構成によると、
デジタルカメラ（固体撮像装置）のＣＣＤセンサ（撮像部）によって取得された電気信
号は、電子情報であるＲＡＷデータ（現像前撮像データ）に変換された後、可逆圧縮方式
（例えばＺＩＰ方式、ＬＺＨ方式等）を用いて圧縮処理が行われれる。圧縮されたＲＡＷ
データ（圧縮現像前撮像データ）は、フラッシュメモリ等の記憶部に記憶される。
【００１６】
また、上記目的を達成するために本発明の固体撮像装置は、
前記圧縮処理において使用された圧縮元の前記現像前撮像データを消去すること
を特徴としている。
【００１７】
この構成によると、
圧縮に使用された圧縮元のＲＡＷデータ（現像前撮像データ）は、デジタルカメラ内部
（例えばメインメモリ）から消去される。
【００１８】
また、上記目的を達成するために本発明の固体撮像装置は、
前記圧縮現像前撮像データを前記入出力インタフェース部を用いて外部装置に対して転
送する際に、前記制御部が前記圧縮現像前撮像データの解凍処理を行い、前記解凍処理に
よって得られた前記現像前撮像データを前記外部装置に対して転送すること
を特徴としている。
【００１９】
この構成によると、
デジタルカメラの記憶部に記憶された圧縮ＲＡＷデータを、入出力Ｉ／Ｆ（入出力イン
タフェース部）を用いて外部装置に転送する際に、制御部が圧縮ＲＡＷデータの解凍と転
送とを並行して行う。これにより、解凍されたＲＡＷデータが外部装置に対して転送され
る。
【発明の効果】
【００２０】
本発明の第一の構成によると、撮像素子（ＣＣＤセンサ等）によって得られたＲＡＷデ
ータを、画質を劣化させることなく圧縮してメモリに格納する。このため、画質を保った
ままデータサイズを削減し、固体撮像装置の記憶容量を有効に活用することができる。
【００２１】
また、本発明の第二の構成によると、圧縮に使用された圧縮元のデータ（ＲＡＷデータ
）は、固体撮像装置内部より消去される。これにより、記憶領域の空き容量を増やし、記
憶できる圧縮ＲＡＷデータの数を増加させることができる。
【００２２】
また、本発明の第三の構成によると、圧縮ＲＡＷデータを解凍してから外部装置に対し
て転送するため、外部装置側で解凍処理を行う必要がない。ユーザーにしてみると、圧縮
ＲＡＷデータの転送を行う場合に、圧縮されたＲＡＷデータをそのまま送信するか、それ
とも固体撮像装置側で解凍してから送信するかを選択することができる。これにより、固
体撮像装置と外部装置との圧縮・解凍処理性能や入出力Ｉ／Ｆの性能に応じて、最も効率
の良いＲＡＷデータの転送方法を選択的に使用することが可能である。
【発明を実施するための最良の形態】
【００２３】
本発明の実施の一形態について、図面に基づいて説明すれば、以下の通りである。
［実施の形態１］
〈１−１．デジタルカメラの外部構成について〉
ここで、デジタルカメラ（撮像装置）１の外部構成を図３から図５を用いながら説明す
る。図３は本発明のデジタルカメラ１における正面図であり、図４は側面図、図５は背面
図を示している。
【００２４】
図３に示すように、本発明のデジタルカメラ１は、略直方体の形状を有するハウジング
６０から構成されている。ハウジング６０には、図３に示すように、少なくとも、撮影レ
ンズユニット６１、ファインダー６２、ストロボ装置６３、グリップ６４、シャッターボ
タン６５が設けられるようになっている。
【００２５】
撮影レンズユニット６１は、不図示である複数のレンズから構成されている。そして、
このレンズ間の間隔が調整されることで、被写体への焦点（ピント）が合わせられるよう
になっている。
【００２６】
ファインダー６２は、ユーザーが撮影対象物を目視するための覗き口である。ストロボ
装置６３は、撮影の際に被写体に対して照明を照射するための発光部である。
【００２７】
グリップ６４は、ハウジング６０（ひいてはデジタルカメラ１）を容易に把持するため
の持ち手である。シャッターボタン６５は、デジタルカメラ１の撮影駆動を制御するため
の操作ボタンである。
【００２８】
また、図４に示すように、ハウジング６０の側面には、外部装置に対してデータ転送を
行うための入出力Ｉ／Ｆ（インタフェース）６６が設けられるようになっている。入出力
Ｉ／Ｆ６６は、例えばＵＳＢ（Universal Serial Bus）ケーブル等を用いて、パソコン等
の外部の画像処理装置とを接続するために使用されるインタフェースである。これにより
、外部装置との間で撮像データ等のデータ通信が可能となる。
【００２９】
また、図５に示すように、ハウジング６０の背面には、操作ボタン群６７と液晶ディス
プレイ（ＬＣＤ）６８とが設けられている。
【００３０】
操作ボタン群６７は、デジタルカメラ１の各種操作を行うためのものであり、例えば十
字キーボタン６７ａと、複数のプッシュボタン６７ｂとから構成されている。そして、こ
れら十字キーボタン６７ａおよびプッシュボタン６７ｂは、押圧操作されるようになって
いる。なお、この操作ボタン群６７を用いて、例えば、撮影画像の閲覧、削除等が行える
ようになっている。
【００３１】
ＬＣＤ６８は、撮影モードや撮影条件等の設定をするためのメニュー画面を表示したり
、再生モードにおいてメモリカード９０に記録された撮影画像を再生表示したりする表示
画面となっている。
〈１−２．デジタルカメラの内部構成について〉
ここで、デジタルカメラ１の内部構成について図３のブロック図を用いながら説明する
。
【００３２】
図６のブロック図に示すように、本発明のデジタルカメラ１は、図３から図５に示す構
成要素に加え、少なくとも、全体制御部１１、ストロボ制御部１２、フラッシュメモリ１
３、加工処理部１４、ＣＣＤ７１、およびタイミングジェネレーター７２を含むように構
成されている。
【００３３】
全体制御部１１は、少なくとも、ＣＰＵ（Central Processing Unit）１１ａとメイン
メモリ１１ｂとを含むように構成されている。
【００３４】
ＣＰＵ（制御部）１１ａは、各装置（例えばＬＣＤ６７等）の制御やデータの計算・加
工を行なう中枢部分となっており、デジタルカメラ１の各部材の駆動を有機的に制御して
、撮影動作を統括制御するものである。
【００３５】
メインメモリ１１ｂはＲＡＭ（Random Access Memory）であり、処理情報を一時的に記
憶しておくためのものである。ＣＰＵ１１ａは各種処理の実行時にメインメモリ１１ｂに
アクセスし、必要なデータの読み込み、及び書き込みを行うものである。
【００３６】
ストロボ制御部１２は、電池（不図示）からストロボ装置６３に対して行われる電力の
供給を制御するための電子回路である。ストロボ制御部１２は、例えばＰＷＭ制御方式に
等により、ストロボ装置６３のコンデンサ（不図示）に供給する電流の量を制御している
。
【００３７】
フラッシュメモリ（記憶部）１３は不揮発性の半導体メモリである。フラッシュメモリ
１３には、例えばデジタルカメラの各種設定情報や、撮影レンズユニット６１を介して取
得した画像データなどが記憶されている。
【００３８】
加工処理部１４は、フラッシュメモリ１３に記憶されたＲＡＷデータに対して現像処理
等の加工処理を行い、画像データ（ＪＰＥＧデータ等）を作成する役割を持つ処理回路で
ある。なお、ＲＡＷデータをもとに作成された画像データは、フラッシュメモリ１３等に
記憶される。
【００３９】
ＣＣＤ７１は、撮影レンズユニット６１により結像された被写体の光像（光学情報）を
Ｒ（赤）・Ｇ（緑）・Ｂ（青）の色成分の画像データに光電変換して出力するものである
。
【００４０】
タイミングジェネレーター７２は、ＣＣＤ７１の駆動を制御するための各種駆動制御信
号を生成するものである。例えば、撮影レンズユニット６１における露出制御は、絞りと
ＣＣＤ７１の露光時間（シャッタースピードに相当するＣＣＤ７１の電荷蓄積時間）とを
調節して行われるようになっている。つまり、タイミングジェネレーター７２は、ＣＣＤ
７１の電荷蓄積時間等を制御するための信号を生成するようになっている。
〈１−３．ＲＡＷデータの圧縮工程について〉
ここで、本発明のデジタルカメラ１におけるＲＡＷデータの圧縮工程を、図１のフロー
図と、図６のブロック図とを用いて説明する。
【００４１】
図１に示すように、制御部がユーザーより撮像処理命令を検知することにより、本処理
が開始される（Ｓ１０）。なお、撮像処理命令は、例えばユーザーが操作ボタン群６７を
用いて、シャッター（撮像）ボタンを押下すること等により発行される。
【００４２】
撮像処理命令検知の結果、撮像処理が行われ（Ｓ２０）、ＲＡＷデータが取得される。
ＣＰＵ１１ａは、取得されたＲＡＷデータをメインメモリ１１ｂに一時的に記憶すると共
に、ＲＡＷデータよりプレビュー用の低画素画像（例えばＪＰＥＧ画像等）を作成し、フ
ラッシュメモリ１３に記憶する（Ｓ３０）。
【００４３】
ＣＰＵ１１ａは、前記Ｓ３０において記憶されたＲＡＷデータに対する圧縮指示（例え
ば撮影設定のパラメータによる指定）がなされているかどうかを確認する（Ｓ４０）。圧
縮指示がなされている場合、次のＳ５０に移行する。圧縮指示がなされていない場合、後
述するＳ５０ａに移行する。
【００４４】
前記Ｓ４０にて圧縮指示がなされていると判断された場合、ＣＰＵ１１ａはＲＡＷデー
タの可逆圧縮（例えばＬＺＨ方式による圧縮）を行い、フラッシュメモリ１３に記憶する
。なおこの際、メインメモリ１１ｂに記憶されているＲＡＷデータは消去されることが望
ましい（Ｓ５０）。記憶された圧縮ＲＡＷデータは、ユーザーから外部装置（例えばパソ
コン等）への転送の指示等を受けた際に、入出力Ｉ／Ｆ６６を用いて外部に対して出力さ
れる（Ｓ６０）。デジタルカメラ１より圧縮ＲＡＷデータを受信した外部装置は、圧縮Ｒ
ＡＷデータを解凍した後（Ｓ７０）、現像処理ソフト等を使用して現像処理を行い、画像
データ（例えばＪＰＥＧデータ等）の作成を行う（Ｓ８０）。
【００４５】
前記Ｓ４０にて圧縮指示がなされていない判断された場合、ＣＰＵ１１ａはＲＡＷデー
タに圧縮処理を加えず、未圧縮の状態でフラッシュメモリ１３に記憶する（Ｓ５０ａ）。
記憶された未圧縮ＲＡＷデータは、ユーザーから外部装置（例えばパソコン等）への転送
の指示等を受けた際に、入出力Ｉ／Ｆ６６を用いて外部に対して出力される（Ｓ６０ａ）
。デジタルカメラ１より未圧縮ＲＡＷデータを受信した外部装置は、現像処理ソフト等を
使用して現像処理を行い、画像データ（例えばＪＰＥＧデータ等）の作成を行う（Ｓ８０
）。
〈１−４．本発明の種々ある特徴について〉
本実施形態によると、
デジタルカメラ１のＣＣＤ７１によって取得された電気信号は、電子情報であるＲＡＷ
データに変換された後、可逆圧縮方式を用いて圧縮が行われる。圧縮によって作成された
圧縮ＲＡＷデータは、フラッシュメモリ等の記憶部に記憶される。圧縮に使用されたＲＡ
Ｗデータは、メインメモリ１１ｂより消去される。
【００４６】
このため、ＣＣＤ７１によって得られたＲＡＷデータを、画質を劣化させることなくデ
ータサイズを削減して記憶することができる。従って、フラッシュメモリ１３の記憶容量
を有効に活用することができる。また、個々のＲＡＷデータのサイズが削減されることに
より、フラッシュメモリ１３に記憶できるＲＡＷデータのデータ数を増加させることがで
きる。
［実施の形態２］
〈２−１．デジタルカメラの外部構成について〉
実施の形態１と同内容であるため、ここでは説明を省略する。
〈２−２．デジタルカメラの内部構成について〉
実施の形態１と同内容であるため、ここでは説明を省略する。
〈２−３．ＲＡＷデータの圧縮工程について〉
ここで、本発明のデジタルカメラ１における電池電圧の制御工程を、図２のフロー図と
、図６のブロック図とを用いて説明する。なお、実施の形態１と同内容の処理については
、同じ処理番号を付加することにより説明を省略するものとする。
【００４７】
図２に示しように、Ｓ１０からＳ５０及びＳ５０ａからＳ６０ａの処理については、実
施の形態１と同内容であるため、説明を省略する。
【００４８】
前記Ｓ５０においてフラッシュメモリ１３に記憶された圧縮ＲＡＷデータは、ユーザー
から外部装置（例えばパソコン等）への転送の指示等を受けた際に、入出力Ｉ／Ｆ６６を
用いて外部に対して出力される。この際、ＣＰＵ１１ａは、圧縮ＲＡＷデータを外部装置
に対して出力するのではなく、転送前に圧縮ＲＡＷデータを解凍し、解凍処理により復元
されたＲＡＷデータを外部装置に対して出力する（Ｓ６５）。デジタルカメラ１よりＲＡ
Ｗデータを受信した外部装置は、現像処理ソフト等を使用して現像処理を行い、画像デー
タ（例えばＪＰＥＧデータ等）の作成を行う（Ｓ８０）。
〈２−４．本発明の種々ある特徴について〉
本実施形態によると、
圧縮ＲＡＷデータを、外部装置に対して出力する際に、デジタルカメラ１のＣＰＵ１１
ａが解凍処理を行い、解凍したＲＡＷデータを外部装置に対して送信する。
【００４９】
このため、外部装置側で圧縮ＲＡＷデータを解凍する必要がない。これにより、例えば
外部装置が圧縮ＲＡＷデータの解凍機能を持っていない場合でも、本発明のＲＡＷデータ
保存方式を固体撮像装置に対して実装することができる。また、外部装置が解凍機能を持
っていたとしても、その処理性能が著しく低い場合等も、デジタルカメラ１側で解凍処理
を行った方が解凍処理時間が短い。よって、全体の処理時間（ＲＡＷデータ転送から解凍
までを含めた一連の処理時間）を短縮することができる。
【００５０】
なお、通常はＲＡＷデータを圧縮して転送を行った方が転送データサイズが少ないため
、通信Ｉ／Ｆにかかる負担が少なく、転送効率は上がる。よって、ユーザーが圧縮ＲＡＷ
データの転送を行う場合に、圧縮ＲＡＷデータを圧縮したまま送信するか、それとも固体
撮像装置側で解凍してから送信するかを選択できることがより望ましい。
［その他の実施の形態］
以上、好ましい実施の形態及び実施例をあげて本発明を説明したが、本発明は必ずしも
上記実施の形態及び実施例に限定されるものではなく、その技術的思想の範囲内において
様々に変形して実施することができる。
【００５１】
例えば前述した実施形態の機能を実現するソフトウェアのプログラムコードを記録した
記憶媒体を、デジタルカメラ１に供給し、そのデジタルカメラ１内のコンピュータ（例え
ばＣＰＵ）が記憶媒体に格納されたプログラムコードを読出し実行することによっても、
達成されることは言うまでもない。
【００５２】
この場合、記憶媒体から読出されたプログラムコード自体が、前述した実施形態の機能
を実現することになり、そのプログラムコードを記憶した記憶媒体は本発明を構成するこ
とになる。
【００５３】
なお、プログラムコードを供給するための記憶媒体としては、例えば、フロッピディス
ク、ハードディスク、光ディスク、光磁気ディスク、ＣＤ−ＲＯＭ、ＣＤ−Ｒ、磁気テー
プ、不揮発性のメモリカード、ＲＯＭなどを用いることができる。
【００５４】
また、コンピュータが読出したプログラムコードを実行することにより、前述した実施
形態の機能が実現されるだけでなく、そのプログラムコードの指示に基づき、コンピュー
タ上で稼働しているＯＳ（オペレーティングシステム）などが実際の処理の一部または全
部を行い、その処理によって前述した実施形態の機能が実現される場合も含まれることは
言うまでもない。
【００５５】
さらに、記憶媒体から読出されたプログラムコードが、コンピュータに挿入された機能
拡張ボードやコンピュータに接続された機能拡張ユニットに備わるメモリに書込まれた後
、そのプログラムコードの指示に基づき、その機能拡張ボードや機能拡張ユニットに備わ
るＣＰＵなどが実際の処理の一部または全部を行い、その処理によって前述した実施形態
の機能が実現される場合も含まれることは言うまでもない。
【００５６】
また、本発明の電源制御方式が、デジタルカメラ以外のＲＡＷデータを扱う撮像装置に
おいて用いられたとしても、同様の効果がえられることは言うまでもない。なお、ＲＡＷ
データを扱う撮像装置としては、例えば、携帯電話、ＰＨＳ、ＰＤＡ、デジタルビデオカ
メラ、カムコーダ、ノートＰＣ、ハンドヘルドＰＣなどが考えられる。
【図面の簡単な説明】
【００５７】
【図１】本発明の第一の実施形態によるＲＡＷデータ圧縮方法のフロー図である。
【図２】本発明の第二の実施形態によるＲＡＷデータ圧縮方法のフロー図である。
【図３】本発明のデジタルカメラの正面図である。
【図４】本発明のデジタルカメラの側面図である。
【図５】本発明のデジタルカメラの背面図である。
【図６】本発明のデジタルカメラの電気回路の腰部構成を示したブロック図である。
【符号の説明】
【００５８】
１      デジタルカメラ（撮像装置）
１１    全体制御部（制御部）
１３    フラッシュメモリ（記憶部）
１４    加工処理部
６６    入出力Ｉ／Ｆ（入出力インタフェース部）
７１    ＣＣＤ（撮像部）
【図１】
2007059979.tif 000003
【図２】
2007059979.tif 000004
【図３】
2007059979.tif 000005
【図４】
2007059979.tif 000006
【図５】
2007059979.tif 000007
【図６】
2007059979.tif 000008